(57)【要約】  【課題】  廃材の掻き上げ時に付着しにくく、かつ付着しても剥がれやすいように工夫することによって掻き上げ羽根への廃材付着を極力抑えられるようにしたアスファルト舗装廃材再生用ドライヤを提供する。  【解決手段】  掻き上げ羽根２は、複数の櫛歯片９を所定間隔で並行に突出させて形成する。そして、この櫛歯状の掻き上げ羽根２にて廃材を掻き上げると、廃材の一部は櫛歯片９の表面を滑り、各櫛歯片９の間をすり抜けて落下していく。これによって、掻き上げ羽根２上に廃材を長く保持することを抑え、良好な掻き上げ機能を維持しつつも掻き上げ羽根２への廃材の付着を極力少なくできる。【選択図】  図４
2005344369.tif 000002
【特許請求の範囲】
【請求項１】
回転自在に傾斜支持したドラムの内周壁に多数の掻き上げ羽根を周設したアスファルト舗装廃材再生用ドライヤにおいて、前記掻き上げ羽根のうち少なくとも一部を櫛歯状に形成し、該櫛歯状の掻き上げ羽根による廃材掻き上げ時に廃材の一部が櫛歯片間をすり抜けて落下していくように構成したことを特徴とするアスファルト舗装廃材再生用ドライヤ。
【請求項２】
前記櫛歯状の掻き上げ羽根は、ドラム内周壁との間に隙間を持たせて取り付けたことを特徴とする請求項１記載のアスファルト舗装廃材再生用ドライヤ。
【請求項３】
前記櫛歯状の掻き上げ羽根は、複数の丸棒材を所定間隔にて並行に配して成ることを特徴とする請求項１または２記載のアスファルト舗装廃材再生用ドライヤ。
【請求項４】
前記櫛歯状の掻き上げ羽根は、鋼板を切り抜いて複数の櫛歯片を形成すると共に、該櫛歯片を折曲して骨材を掻き上げるように形成したことを特徴とする請求項１または２記載のアスファルト舗装廃材再生用ドライヤ。
【発明の詳細な説明】
【技術分野】
【０００１】
本発明は、道路工事等により発生するアスファルト舗装廃材を加熱再生するアスファルト舗装廃材再生用ドライヤに関する。
【背景技術】
【０００２】
アスファルト舗装廃材（以下「廃材」という）を加熱再生するドライヤは、ドラムの内周面に周設した多数の掻き上げ羽根によって廃材の掻き上げ、落下を繰り返す間に、バーナより送り込む熱風と接触させて廃材を所定温度にまで加熱している。ところで、ドラム内にて廃材を加熱すると、廃材は粘着性を有するようになってドラム内の掻き上げ羽根等に徐々に付着して成長していき、ついには掻き上げ羽根の機能を損なうほどになることがある。このため、掻き上げ羽根の機能を回復させるために定期的にはつり作業を行う必要があるなど、メンテナンス面において厄介な問題があった。
【０００３】
出願人は、掻き上げ羽根への廃材の付着を防止するアスファルト舗装廃材再生用ドライヤについて調査したところ、実用新案登録２５００５８７号、特開平１１−１３１４１８号、特開２００２−２２７１１８号が検索された。
【０００４】
実用新案登録２５００５８７号は、先端に可動部材が取り付けられた索状体をドラムの内周面に取り付け、ドラムの回転時に可動部材をずれ落ちさせて板状の掻き上げ羽根をこすることで羽根表面の付着物をはがし、廃材付着物の発生、堆積を防止するものである。
【０００５】
特開平１１−１３１４１８号は、板状の掻き上げ羽根の基部を湾曲させてドラム内周面に取り付け、廃材が円滑に流れるようにして掻き上げ羽根とドラムとの接続部に廃材が付着することを抑えるものである。
【０００６】
特開２００２−２２７１１８号は、板状の掻き上げ羽根をドラム内周壁との間に隙間を持たせて取り付け、掻き上げ羽根とドラム内周壁との接続箇所で廃材を付着保持させないようにしたものである。
【特許文献１】実用新案登録２５００５８７号
【特許文献２】特開平１１−１３１４１８号
【特許文献３】特開２００２−２２７１１８号
【発明の開示】
【発明が解決しようとする課題】
【０００７】
しかしながら、本発明者らは、これら従来のものはいずれも板状の掻き上げ羽根を使用しており、この板状の掻き上げ羽根では廃材との接触面積が大きいために付着が生じやすく、また一旦付着した廃材も剥がれにくいのではないかと考えた。
【０００８】
本発明は上記の点に鑑み、廃材の掻き上げ時に付着しにくく、かつ付着しても剥がれやすいように工夫することによって掻き上げ羽根への廃材付着を極力抑えられるようにしたアスファルト舗装廃材再生用ドライヤを提供することを課題とする。
【課題を解決するための手段】
【０００９】
上記の課題を解決するために、請求項１記載のアスファルト舗装廃材再生用ドライヤは、回転自在に傾斜支持したドラムの内周壁に多数の掻き上げ羽根を周設したアスファルト舗装廃材再生用ドライヤにおいて、前記掻き上げ羽根のうち少なくとも一部を櫛歯状に形成し、該櫛歯状の掻き上げ羽根による廃材掻き上げ時に廃材の一部が櫛歯片間をすり抜けて落下していくように構成したことを特徴としている。
【００１０】
また、請求項２記載のアスファルト舗装廃材再生用ドライヤは、前記櫛歯状の掻き上げ羽根は、ドラム内周壁との間に隙間を持たせて取り付けたことを特徴としている。
【００１１】
また、請求項３記載のアスファルト舗装廃材再生用ドライヤは、前記櫛歯状の掻き上げ羽根は、複数の丸棒材を所定間隔にて並行に配して成ることを特徴としている。
【００１２】
更に、請求項４記載のアスファルト舗装廃材再生用ドライヤは、櫛歯状の掻き上げ羽根は、鋼板を切り抜いて複数の櫛歯片を形成すると共に、該櫛歯片を折曲して骨材を掻き上げるように形成したことを特徴としている。
【発明の効果】
【００１３】
以上のように本発明に係る請求項１記載のアスファルト舗装廃材再生用ドライヤによれば、回転自在に傾斜支持したドラムの内周壁に多数の掻き上げ羽根を周設したアスファルト舗装廃材再生用ドライヤにおいて、前記掻き上げ羽根のうち少なくとも一部を櫛歯状に形成し、該櫛歯状の掻き上げ羽根による廃材掻き上げ時に廃材の一部が櫛歯片間をすり抜けて落下していくように構成したので、掻き上げ羽根への廃材の付着が生じにくく、また、例え付着が生じたとしても廃材の掻き上げ時の衝撃などによって直ぐに剥がれ落ち、廃材の付着を極力抑えることができる。更に、櫛歯状の掻き上げ羽根にて持ち上げた廃材は、櫛歯片間をすり抜けて分散してドラム内を落下することによって熱風との熱交換が良好に行え、加熱効率を向上できる。
【００１４】
また、請求項２記載のアスファルト舗装廃材再生用ドライヤによれば、前記櫛歯状の掻き上げ羽根とドラム内周壁との間に隙間を持たせて取り付けたので、特に廃材の付着が生じやすい掻き上げ羽根とドラム内周壁の接続箇所における廃材の付着保持がなくなり、掻き上げ羽根への廃材の付着を一層抑えることができる。
【００１５】
また、請求項３記載のアスファルト舗装廃材再生用ドライヤによれば、前記櫛歯状の掻き上げ羽根は、複数の丸棒材を所定間隔にて並行に配して成るので、櫛歯である丸棒材の表面は滑りやすくて廃材の付着が生じにくく、また例え付着が生じたとしても付着部分が曲面形状である上、付着面積もごく小さいため付着力は弱く、廃材の掻き上げ時の衝撃などによって直ぐに剥がれ落ち、廃材の付着を極力抑えることができる。
【００１６】
更に、請求項４記載のアスファルト舗装廃材再生用ドライヤによれば、櫛歯状の掻き上げ羽根は、鋼板を切り抜いて複数の櫛歯片を形成し、該櫛歯片を折曲して骨材を掻き上げるように形成したので、構造が簡単で溶接箇所もなくて低コストにて製作できる。
【発明を実施するための最良の形態】
【００１７】
本発明に係わる請求項１記載のアスファルト舗装廃材再生用ドライヤによれば、ドラムの内周壁に周設する掻き上げ羽根のうち少なくともその一部を櫛歯状に形成する。そして、このドラムにて廃材を加熱再生する場合、ドラム内に投入した廃材を前記櫛歯状の掻き上げ羽根によって掻き上げると、廃材は櫛歯片間より徐々にすり抜けて落下しながら持ち上げられていく。これによって、掻き上げ羽根上に長く保持されることなく、廃材の付着が生じにくいものとなる。また、例え付着が生じたとしても付着対象が櫛歯状であるため、付着面積が小さくて付着力も弱く、廃材を掻き上げるときの衝撃や振動などによって容易に剥がれ落ち、廃材の付着成長を極力抑えることができる。更に、廃材は櫛歯片間の隙間より分散しながら落下するのでドラム内を通過する熱風と効率良く接触し、加熱効率の向上も見込まれる。
【００１８】
また、請求項２記載のアスファルト舗装廃材再生用ドライヤによれば、櫛歯状の掻き上げ羽根を、例えばドラム内周壁との間に廃材が通過可能な程度の隙間を持たせて取り付ける。そして、この櫛歯状の掻き上げ羽根で廃材を掻き上げると、特に廃材が一時的に留まって付着保持が生じやすい掻き上げ羽根とドラム内周壁の接続箇所における廃材の付着がなくなり、廃材の付着を一層抑えることができる。
【００１９】
また、請求項３記載のアスファルト舗装廃材再生用ドライヤによれば、複数の丸棒材を所定間隔にて平行に配して櫛歯状の掻き上げ羽根と成す。そして、この櫛歯状の掻き上げ羽根で廃材を掻き上げると、櫛歯である丸棒材の表面は滑りやすくて廃材の付着が生じにくいばかりでなく、例え付着が生じたとしても付着部分が丸棒材の曲面形状部であることに加えて、付着面積も細い丸棒の表面というごく小さい部分であるため付着力はごく弱く、廃材を掻き上げるときの衝撃や振動などによって容易に剥がれ落ち、廃材の付着成長を確実に抑えることができる。
【００２０】
更に、請求項４記載のアスファルト舗装廃材再生用ドライヤによれば、鋼板を切り抜いて複数の櫛歯片を形成し、該櫛歯片を適宜角度折曲して櫛歯状の掻き上げ羽根と成す。この掻き上げ羽根は、廃材の付着が生じにくいばかりでなく、構造が簡単で一体に形成されていて溶接箇所もなく、低コストにて製作できる。
【実施例】
【００２１】
以下、本発明の実施例を図面に基づいて説明する。
【００２２】
図中の１は廃材を加熱再生するドライヤであって、内部に多数の掻き上げ羽根２を周設した円筒状のドラム３を機台４上に回転自在に傾斜支持し、駆動用モータ（図示せず）により回転駆動させている。ドラム３の一端部にはバーナ５を備え、該バーナ５を燃焼させて燃焼室６内に火炎を形成しながらドラム３内に熱風を供給する一方、ベルトコンベヤ７によって廃材を供給し、掻き上げ羽根２によって廃材を掻き上げながらドラム３内を転動流下させる間に廃材を所定温度まで加熱している。
【００２３】
前記掻き上げ羽根２は、図３及び図４に示すように、略門形のベース材８に複数の鋼製の丸棒状の櫛歯片９を所定間隔で並行に立設して櫛歯状に形成したものであって、前記ベース材８はドラム３内周壁に溶接にて固定される。このとき、前記櫛歯片９の先端側は、図２に示すように、ドラム３内方へ向け、更にその先端部をドラム３の回転方向前方へ折曲し、ドラム３上方へ廃材を掻き上げやすいような構造としている。
【００２４】
ここで、廃材を加熱再生する際には予め破砕処理が行われるが、例えば２０ｍｍ以下程度に破砕した廃材をドライヤ１で加熱再生処理する場合には、前記丸棒状の櫛歯片９の径を例えば１５〜３０ｍｍ程度に、また各櫛歯片９の間隔を櫛歯片９の径の約２倍に相当する例えば３０〜６０ｍｍ程度に設定すると、廃材の掻き上げ機能を良好に維持しつつ、廃材を各櫛歯片９の間から適度にすり抜けさせることが可能となり、加熱によって付着性を帯びてくる廃材の付着を極力抑えながら好適な掻き上げを実現することができる。なお、上記した櫛歯片９の径や櫛歯片９の間隔のサイズはあくまでも目安であり、これに限定するものではなく、破砕した廃材のサイズや性状などに応じて適宜選定すれば良い。
【００２５】
また、掻き上げ羽根２は、好ましくは、ドラム３内周壁と若干の隙間１０、例えば、櫛歯片９の後端部から１００〜１５０ｍｍ程度の隙間を持たせ、廃材を掻き上げるときに廃材が掻き上げ羽根２とドラム３内周壁との間に残留して付着成長することのようにようにする。なお、上記したベース材８とドラム３内周壁との隙間１０のサイズについても一応の目安を示したものであり、特にこれに限定するものではなく、破砕した廃材のサイズや性状などに応じて適宜選定すればよい。
【００２６】
しかして、上記構成のドライヤ１に廃材を投入すると、ドラム３とともに回転する掻き上げ羽根２によって廃材が次々と掻き上げられていくが、掻き上げ羽根２を複数の丸棒状の櫛歯片９にて櫛歯状に形成しているため、廃材は各櫛歯片９の表面を滑り落ちやすく、掻き上げ羽根２上に長く保持されることなく各櫛歯片９の間を次々とすり抜けて落下していき、掻き上げ羽根２への廃材の付着は生じにくい。また、特に付着保持が生じやすい掻き上げ羽根２とドラム３内周壁の接続箇所では、廃材は留まることなく隙間１０より通過して落下していくため付着を生じることはない。
【００２７】
また、例え廃材が掻き上げ羽根２に付着した場合でも、廃材の付着部分が細い丸棒状の曲面形状であるために、付着部分の面積が小さくて付着力も弱い上、各櫛歯片９はその中間部をベース材８に貫通させて取り付けた構造であるため、廃材の掻き上げ時の衝撃などによって櫛歯片９の先端部は振動を生じやすく、その結果、付着した廃材は容易に剥がれ落ちて、廃材の付着成長を極力抑えることができる。なお、廃材は櫛歯片９間の隙間より分散しながら落下するのでドラム３内を通過する熱風と効率良く接触し、加熱効率の向上も見込まれる。
【００２８】
図５は、櫛歯片９の他の実施例を示すもので、鋼板のベース材８を切り抜いて複数の櫛歯片９を形成し、該櫛歯片９を図のように廃材を掻き上げるように折曲したものである。これによって、前記丸棒状の櫛歯片９のように溶接により一本ずつ溶接することもなく、低コスト化が図れる。
【００２９】
なお、櫛歯状に形成した掻き上げ羽根２はドラム３の全域に取り付けても良いが、ドラム３内の廃材の付着しやすい領域にのみに取り付けるようにしても良い。
【図面の簡単な説明】
【００３０】
【図１】本発明に係るアスファルト舗装廃材再生用ドライヤの一実施例を示す説明図である。
【図２】図１のＡ−Ａ断面図である。
【図３】図２の要部拡大図である。
【図４】掻き上げ羽根の斜視図である。
【図５】掻き上げ羽根の他の実施例を示す斜視図である。
【符号の説明】
【００３１】
１…ドライヤ                    ２…掻き上げ羽根
３…ドラム                      ８…ベース材
９…櫛歯片                      １０…隙間
【図１】
2005344369.tif 000003
【図２】
2005344369.tif 000004
【図３】
2005344369.tif 000005
【図４】
2005344369.tif 000006
【図５】
2005344369.tif 000007